(57)【要約】【課題】モータが過負荷状態になることが防止される充電式電動工具を提供すること。【解決手段】マイコン１１は、トリガスイッチの切換を契機として、第１サーミスタ９から出力される温度検出信号に基づく検出温度Ｔ１と、第１温度閾値Ｔｔｈ１、及び、第２温度閾値Ｔｔｈ２の大小関係、並びに、温度上昇率（ΔＴ／Δｔ）と第１設定温度上昇率（ΔＴ／Δｔ）ｓ１との大小関係を判定する。そして、マイコン１１は、検出温度Ｔ１＞第１温度閾値Ｔｔｈ１と判定した場合、又は、検出温度Ｔ１＞第２温度閾値Ｔｔｈ２と判定した後、温度上昇率（ΔＴ／Δｔ）＞第１設定温度上昇率（ΔＴ／Δｔ）ｓ１と判定した場合に、モータ４が過負荷状態となりうると判断するとともに、モータ４の回転数を所定値以下に制限する「制限動作モード」に設定される。【選択図】図２
2010110881.tif 000002
【特許請求の範囲】
【請求項１】
二次電池を電源として駆動されるモータと、該モータへの通電を調節するスイッチング素子と、該スイッチング素子を介して前記モータの回転を制御するモータ制御手段と、前記モータに駆動電力を供給すべく設けられたリード線と、操作者により切り換えられ、該リード線を介した前記モータへの電力供給をオンオフするトリガスイッチとを備えた充電式電動工具であって、
前記リード線には、第１温度閾値Ｔｔｈ１、該第１温度閾値Ｔｔｈ１よりも設定温度差ΔＴｓ１低い第２温度閾値Ｔｔｈ２、第１設定温度上昇率（ΔＴ／Δｔ）ｓ１、及び、前記第２温度閾値Ｔｔｈ２よりも設定温度差ΔＴｓ２低い第３温度閾値Ｔｔｈ３が設定された第１温度検出手段が配設され、
前記モータ制御手段は、前記第１温度検出手段から出力される温度検出信号に基づき、温度上昇度ΔＴを経過時間Δｔで除した温度上昇率（ΔＴ／Δｔ）を演算するとともに、
前記トリガスイッチの切換を契機として、前記第１温度検出手段から出力される温度検出信号に基づく検出温度Ｔ１と、前記第１温度閾値Ｔｔｈ１、第２温度閾値Ｔｔｈ２、及び第３温度閾値Ｔｔｈ３との各大小関係、並びに、前記温度上昇率（ΔＴ／Δｔ）と前記第１設定温度上昇率（ΔＴ／Δｔ）ｓ１との大小関係をそれぞれ判定し、
検出温度Ｔ１＞第１温度閾値Ｔｔｈ１と判定した場合、又は、検出温度Ｔ１＞第２温度閾値Ｔｔｈ２と判定した後、温度上昇率（ΔＴ／Δｔ）＞第１設定温度上昇率（ΔＴ／Δｔ）ｓ１と判定した場合に、前記モータの動作を停止するか又は同モータの回転数を所定値以下に制限する制限動作モードに設定されるとともに、検出温度Ｔ１＜第３温度閾値Ｔｔｈ３と判定されることで、当該制限動作モードを解除することを特徴とする充電式電動工具。
【請求項２】
請求項１に記載の充電式電動工具において、
前記第１温度検出手段は、前記リード線と、前記トリガスイッチを収容するスイッチブロックとの接点部に配設されている充電式電動工具。
【請求項３】
請求項１又は請求項２に記載の充電式電動工具において、
前記モータには、そのロータ、マグネット、及びステータを収容するモータケースが設けられ、
前記モータケースには、第１温度閾値Ｔｔｈａ、該第１温度閾値Ｔｔｈａよりも設定温度差ΔＴｓａ低い第２温度閾値Ｔｔｈｂ、第１設定温度上昇率（ΔＴ／Δｔ）ｓ２、及び、前記第２温度閾値Ｔｔｈｂよりも設定温度差ΔＴｓｂ低い第３温度閾値Ｔｔｈｃが設定された第２温度検出手段が配設され、
前記モータ制御手段は、前記第２温度検出手段から出力される温度検出信号に基づき、温度上昇度ΔＴを経過時間Δｔで除した温度上昇率（ΔＴ／Δｔ）を演算するとともに、
前記トリガスイッチの切換を契機として、前記第１温度検出手段から出力される温度検出信号に基づく検出温度Ｔ１と、前記第１温度閾値Ｔｔｈ１、第２温度閾値Ｔｔｈ２、及び第３温度閾値Ｔｔｈ３との各大小関係、前記温度上昇率（ΔＴ／Δｔ）と前記第１設定温度上昇率（ΔＴ／Δｔ）ｓ１との大小関係、前記第２温度検出手段から出力される温度検出信号に基づく検出温度Ｔ２と、前記第１温度閾値Ｔｔｈａ、前記第２温度閾値Ｔｔｈｂ、及び第３温度閾値Ｔｔｈｃとの各大小関係、並びに、前記温度上昇率（ΔＴ／Δｔ）と前記第１設定温度上昇率（ΔＴ／Δｔ）ｓ２との大小関係をそれぞれ判定し、
検出温度Ｔ１＞第１温度閾値Ｔｔｈ１、若しくは、検出温度Ｔ２＞第１温度閾値Ｔｔｈａと判定した場合、又は、
検出温度Ｔ１＞第２温度閾値Ｔｔｈ２と判定した後、温度上昇率（ΔＴ／Δｔ）＞第１設定温度上昇率（ΔＴ／Δｔ）ｓ１と判定した場合、若しくは、検出温度Ｔ２＞第２温度閾値Ｔｔｈｂと判定した後、温度上昇率（ΔＴ／Δｔ）＞第１設定温度上昇率（ΔＴ／Δｔ）ｓ２と判定した場合に、前記制限動作モードに設定されるとともに、検出温度Ｔ１＜第３温度閾値Ｔｔｈ３、且つ、検出温度Ｔ２＜第３温度閾値Ｔｔｈｃと判定されることで、当該制限動作モードを解除する充電式電動工具。
【請求項４】
請求項３に記載の充電式電動工具において、
前記第１温度検出手段，第２温度検出手段には、それぞれ、前記第２温度閾値Ｔｔｈ２，Ｔｔｈｂより高く、第１温度閾値Ｔｔｈ１，Ｔｔｈａより低い第４温度閾値Ｔｔｈ４，Ｔｔｈｄ、及び、前記第１設定温度上昇率（ΔＴ／Δｔ）ｓ１，（ΔＴ／Δｔ）ｓ２より小さい第２設定温度上昇率（ΔＴ／Δｔ）ｓ１１，（ΔＴ／Δｔ）ｓ１２が設定され、
前記モータ制御手段は、前記トリガスイッチの切換を契機として、前記第１温度検出手段，第２温度検出手段から出力される温度検出信号に基づく検出温度Ｔ１，Ｔ２と、前記第４温度閾値Ｔｔｈ４，Ｔｔｈｄとの各大小関係、及び、前記温度上昇率（ΔＴ／Δｔ）と、前記第２設定温度上昇率（ΔＴ／Δｔ）ｓ１１，（ΔＴ／Δｔ）ｓ１２との各大小関係をそれぞれ判定し、
検出温度Ｔ１＞第４温度閾値Ｔｔｈ４と判定した後、温度上昇率（ΔＴ／Δｔ）＞第２設定温度上昇率（ΔＴ／Δｔ）ｓ１１と判定した場合、又は、検出温度Ｔ２＞第４温度閾値Ｔｔｈｄと判定した後、温度上昇率（ΔＴ／Δｔ）＞第２設定温度上昇率（ΔＴ／Δｔ）ｓ１２と判定した場合に、前記制限動作モードに設定されるとともに、検出温度Ｔ１＜第３温度閾値Ｔｔｈ３、且つ、検出温度Ｔ２＜第３温度閾値Ｔｔｈｃと判定されることで、当該制限動作モードを解除する充電式電動工具。
【発明の詳細な説明】
【技術分野】
【０００１】
本発明は、充電式電動工具に関する。
【背景技術】
【０００２】
従来、充電可能な電池パックを電源として駆動されるモータと、該モータへの通電を調節するスイッチング素子としてのＦＥＴ（Field Effect Transistor；電界効果トランジスタ）、該ＦＥＴを介して前記モータの回転を制御するマイコンとを備え、電動ドライバ等として使用される充電式電動工具が知られている。
【０００３】
この種の充電式電動工具では、ＦＥＴをオンすることでモータを最大出力で回転駆動するとともに、ＦＥＴをオフすることで同モータを停止させる。また、同ＦＥＴをＰＷＭ（Pulse Width Modulation）駆動することで、モータの回転数が制御される。
【０００４】
このような充電式電動工具には、電池パックの電池セルに温度センサを配設し、温度センサに接続された温度検出回路で電池セルの温度を検出し、当該温度が高温である場合に当該電池セルの熱劣化を防止すべく、マイコンがモータの回転を制限したり、強制的に停止したりしているものがある（例えば、特許文献１を参照）。
【特許文献１】特開２００７−２２２９９１号公報
【発明の開示】
【発明が解決しようとする課題】
【０００５】
しかしながら、こうした充電式電動工具では、硬質な対象物にボルトを捩じ込む場合等、モータに大きな回転トルク（電流）の発生に伴ってロック状態が続いたり、モータが長時間連続して低電流で駆動されたりすること等によって過負荷状態となった場合に、当該モータのコイルやモータケースが高温となって発煙が生じることがあった。このような現象は、特に電池パックの交換直後で電池セルの温度が上昇していない場合において、前述したような電池セルの温度を検出する技術では捕捉が困難である。そこで、モータの耐熱性を高める等の対策がなされているものの、更に過酷な条件で使用された場合には不十分となることがあった。
【０００６】
一方、コストが割安であることから、充電式電動工具に通常用いられるインナーコイルタイプ（ロータにコイルが巻かれているもの）のモータでは、電池パックにおける温度を検出する代わりに、直接、モータのロータの温度を検出する手段を用い、該検出温度に基づいて、マイコンがモータの回転を制限等することも考えられる。しかし、ロータは回転体であるため、そもそも温度検出が困難である。また、モータケースは熱容量が大きいため、ロータの温度が上昇する前に当該モータケースに発煙が生じることもあった。
【０００７】
本発明は、上記問題点を解決するためになされたものであって、その目的は、モータが過負荷状態になることが防止される充電式電動工具を提供することにある。
【課題を解決するための手段】
【０００８】
上記問題点を解決するために、請求項１に記載の発明は、二次電池を電源として駆動されるモータと、該モータへの通電を調節するスイッチング素子と、該スイッチング素子を介して前記モータの回転を制御するモータ制御手段と、前記モータに駆動電力を供給すべく設けられたリード線と、操作者により切り換えられ、該リード線を介した前記モータへの電力供給をオンオフするトリガスイッチとを備えた充電式電動工具であって、前記リード線には、第１温度閾値Ｔｔｈ１、該第１温度閾値Ｔｔｈ１よりも設定温度差ΔＴｓ１低い第２温度閾値Ｔｔｈ２、第１設定温度上昇率（ΔＴ／Δｔ）ｓ１、及び、前記第２温度閾値Ｔｔｈ２よりも設定温度差ΔＴｓ２低い第３温度閾値Ｔｔｈ３が設定された第１温度検出手段が配設され、前記モータ制御手段は、前記第１温度検出手段から出力される温度検出信号に基づき、温度上昇度ΔＴを経過時間Δｔで除した温度上昇率（ΔＴ／Δｔ）を演算するとともに、前記トリガスイッチの切換を契機として、前記第１温度検出手段から出力される温度検出信号に基づく検出温度Ｔ１と、前記第１温度閾値Ｔｔｈ１、第２温度閾値Ｔｔｈ２、及び第３温度閾値Ｔｔｈ３との各大小関係、並びに、前記温度上昇率（ΔＴ／Δｔ）と前記第１設定温度上昇率（ΔＴ／Δｔ）ｓ１との大小関係をそれぞれ判定し、検出温度Ｔ１＞第１温度閾値Ｔｔｈ１と判定した場合、又は、検出温度Ｔ１＞第２温度閾値Ｔｔｈ２と判定した後、温度上昇率（ΔＴ／Δｔ）＞第１設定温度上昇率（ΔＴ／Δｔ）ｓ１と判定した場合に、前記モータの動作を停止するか又は同モータの回転数を所定値以下に制限する制限動作モードに設定されるとともに、検出温度Ｔ１＜第３温度閾値Ｔｔｈ３と判定されることで、当該制限動作モードを解除すること、を要旨とする。
【０００９】
同構成によれば、スイッチング素子を介して通常とおりにモータを回転制御する通常動作モードにおいて、トリガスイッチの切換を契機として、検出温度Ｔ１＞第１温度閾値Ｔｔｈ１と判定されるか、又は、検出温度Ｔ１＞第２温度閾値Ｔｔｈ２と判定された後、温度上昇率（ΔＴ／Δｔ）＞第１設定温度上昇率（ΔＴ／Δｔ）ｓ１と判定された場合に、モータが過負荷状態となりうると判断され、モータ制御手段が、モータの動作を停止するか又は同モータの回転数を所定値以下に制限する制限動作モードに設定される。このため、モータが実際に過負荷状態となる以前に、モータの動作が停止等されるので、モータに発煙等の異常が生じることが防止される。しかも、第１温度検出手段は、モータのコイルに電力を供給するリード線に配設されているので、発熱源となるコイルからの伝熱が良好となり、コイルの温度を追従性よく検出することも可能となる。そしてこれにより、検出温度Ｔ１＞第１温度閾値Ｔｔｈ１と判定されることのみでモータ制御手段が制限動作モードに設定される場合と比較して、検出温度Ｔ１＞第２温度閾値Ｔｔｈ２と判定された後の温度上昇率（ΔＴ／Δｔ）と第１設定温度上昇率（ΔＴ／Δｔ）ｓ１との大小関係がモータ制御手段を制限動作モードに設定するための判定基準に加わるため、単に検出温度Ｔ１が第１温度閾値Ｔｔｈ１を超えることだけでなく、急激なコイル（モータ）の温度上昇を捕捉することでもモータ制御手段が制限動作モードに設定されることから、モータが過負荷状態となることが効果的に防止される。尚、検出温度Ｔ１＜第３温度閾値Ｔｔｈ３と判定されると、モータ制御手段は通常動作モードに復帰するので、充電式電動工具の取り扱い性が損なわれることもない。
【００１０】
請求項２に記載の発明は、請求項１に記載の充電式電動工具において、前記第１温度検出手段は、前記リード線と、前記トリガスイッチを収容するスイッチブロックとの接点部に配設されていること、を要旨とする。
【００１１】
同構成によれば、リード線と、トリガスイッチを収容するスイッチブロックとの接点部に第１温度検出手段を確実に取り付けることができる。
請求項３に記載の発明は、請求項１又は請求項２に記載の充電式電動工具において、前記モータには、そのロータ、マグネット、及びステータを収容するモータケースが設けられ、前記モータケースには、第１温度閾値Ｔｔｈａ、該第１温度閾値Ｔｔｈａよりも設定温度差ΔＴｓａ低い第２温度閾値Ｔｔｈｂ、第１設定温度上昇率（ΔＴ／Δｔ）ｓ２、及び、前記第２温度閾値Ｔｔｈｂよりも設定温度差ΔＴｓｂ低い第３温度閾値Ｔｔｈｃが設定された第２温度検出手段が配設され、前記モータ制御手段は、前記第２温度検出手段から出力される温度検出信号に基づき、温度上昇度ΔＴを経過時間Δｔで除した温度上昇率（ΔＴ／Δｔ）を演算するとともに、前記トリガスイッチの切換を契機として、前記第１温度検出手段から出力される温度検出信号に基づく検出温度Ｔ１と、前記第１温度閾値Ｔｔｈ１、第２温度閾値Ｔｔｈ２、及び第３温度閾値Ｔｔｈ３との各大小関係、前記温度上昇率（ΔＴ／Δｔ）と前記第１設定温度上昇率（ΔＴ／Δｔ）ｓ１との大小関係、前記第２温度検出手段から出力される温度検出信号に基づく検出温度Ｔ２と、前記第１温度閾値Ｔｔｈａ、前記第２温度閾値Ｔｔｈｂ、及び第３温度閾値Ｔｔｈｃとの各大小関係、並びに、前記温度上昇率（ΔＴ／Δｔ）と前記第１設定温度上昇率（ΔＴ／Δｔ）ｓ２との大小関係をそれぞれ判定し、検出温度Ｔ１＞第１温度閾値Ｔｔｈ１、若しくは、検出温度Ｔ２＞第１温度閾値Ｔｔｈａと判定した場合、又は、検出温度Ｔ１＞第２温度閾値Ｔｔｈ２と判定した後、温度上昇率（ΔＴ／Δｔ）＞第１設定温度上昇率（ΔＴ／Δｔ）ｓ１と判定した場合、若しくは、検出温度Ｔ２＞第２温度閾値Ｔｔｈｂと判定した後、温度上昇率（ΔＴ／Δｔ）＞第１設定温度上昇率（ΔＴ／Δｔ）ｓ２と判定した場合に、前記制限動作モードに設定されるとともに、検出温度Ｔ１＜第３温度閾値Ｔｔｈ３、且つ、検出温度Ｔ２＜第３温度閾値Ｔｔｈｃと判定されることで、当該制限動作モードを解除すること、を要旨とする。
【００１２】
同構成によれば、トリガスイッチの切換を契機として、検出温度Ｔ１＞第１温度閾値Ｔｔｈ１、若しくは、検出温度Ｔ２＞第１温度閾値Ｔｔｈａと判定された場合、又は、検出温度Ｔ１＞第２温度閾値Ｔｔｈ２と判定された後、温度上昇率（ΔＴ／Δｔ）＞第１設定温度上昇率（ΔＴ／Δｔ）ｓ１と判定された場合、若しくは、検出温度Ｔ２＞第２温度閾値Ｔｔｈｂと判定された後、温度上昇率（ΔＴ／Δｔ）＞第１設定温度上昇率（ΔＴ／Δｔ）ｓ２と判定された場合に、モータが過負荷状態となりうると判断され、モータ制御手段が、モータの動作を停止するか又は同モータの回転数を所定値以下に制限する制限動作モードに設定される。このため、モータが実際に過負荷状態となる以前に、モータの動作が停止等されるので、モータに発煙等の異常が生じることが防止される。またこれにより、検出温度Ｔ１＞第１温度閾値Ｔｔｈ１、又は、検出温度Ｔ２＞第１温度閾値Ｔｔｈａと判定されることのみでモータ制御手段が制限動作モードに設定される場合と比較して、検出温度Ｔ１＞第２温度閾値Ｔｔｈ２、又は、検出温度Ｔ２＞第２温度閾値Ｔｔｈｂと判定された後の温度上昇率（ΔＴ／Δｔ）と第１設定温度上昇率（ΔＴ／Δｔ）ｓ１との大小関係、又は、温度上昇率（ΔＴ／Δｔ）と第１設定温度上昇率（ΔＴ／Δｔ）ｓ２との大小関係がモータ制御手段を制限動作モードに設定するための判定基準に加わるため、モータのロック状態やモータの低電流での連続使用状態等の充電式電動工具の多様な使用状態において、検出温度Ｔ１が第１温度閾値Ｔｔｈ１を超えたり、検出温度Ｔ２が第１温度閾値Ｔｔｈａを超えたりすることだけでなく、第２温度閾値Ｔｔｈ２，Ｔｔｈｂ以上の温度領域で急激なコイル（モータ）の温度上昇率を捕捉することでもモータ制御手段が制限動作モードに設定されることから、モータが過負荷状態となることがさらに効果的に防止される。尚、検出温度Ｔ１＜第３温度閾値Ｔｔｈ３、且つ、検出温度Ｔ２＜第３温度閾値Ｔｔｈｃと判定されると、モータ制御手段は通常動作モードに復帰するので、充電式電動工具の取り扱い性が損なわれることもない。
【００１３】
請求項４に記載の発明は、請求項３に記載の充電式電動工具において、前記第１温度検出手段，第２温度検出手段には、それぞれ、前記第２温度閾値Ｔｔｈ２，Ｔｔｈｂより高く、第１温度閾値Ｔｔｈ１，Ｔｔｈａより低い第４温度閾値Ｔｔｈ４，Ｔｔｈｄ、及び、前記第１設定温度上昇率（ΔＴ／Δｔ）ｓ１，（ΔＴ／Δｔ）ｓ２より小さい第２設定温度上昇率（ΔＴ／Δｔ）ｓ１１，（ΔＴ／Δｔ）ｓ１２が設定され、前記モータ制御手段は、前記トリガスイッチの切換を契機として、前記第１温度検出手段，第２温度検出手段から出力される温度検出信号に基づく検出温度Ｔ１，Ｔ２と、前記第４温度閾値Ｔｔｈ４，Ｔｔｈｄとの各大小関係、及び、前記温度上昇率（ΔＴ／Δｔ）と、前記第２設定温度上昇率（ΔＴ／Δｔ）ｓ１１，（ΔＴ／Δｔ）ｓ１２との各大小関係をそれぞれ判定し、検出温度Ｔ１＞第４温度閾値Ｔｔｈ４と判定した後、温度上昇率（ΔＴ／Δｔ）＞第２設定温度上昇率（ΔＴ／Δｔ）ｓ１１と判定した場合、又は、検出温度Ｔ２＞第４温度閾値Ｔｔｈｄと判定した後、温度上昇率（ΔＴ／Δｔ）＞第２設定温度上昇率（ΔＴ／Δｔ）ｓ１２と判定した場合に、前記制限動作モードに設定されるとともに、検出温度Ｔ１＜第３温度閾値Ｔｔｈ３、且つ、検出温度Ｔ２＜第３温度閾値Ｔｔｈｃと判定されることで、当該制限動作モードを解除すること、を要旨とする。
【００１４】
同構成によれば、トリガスイッチの切換を契機として、検出温度Ｔ１＞第４温度閾値Ｔｔｈ４と判定された後、温度上昇率（ΔＴ／Δｔ）＞第２設定温度上昇率（ΔＴ／Δｔ）ｓ１１と判定された場合、又は、検出温度Ｔ２＞第４温度閾値Ｔｔｈｄと判定された後、温度上昇率（ΔＴ／Δｔ）＞第２設定温度上昇率（ΔＴ／Δｔ）ｓ１２と判定された場合に、モータ制御手段が制限動作モードに設定される。このように、請求項３の構成に対して、検出温度Ｔ１＞第４温度閾値Ｔｔｈ４と判定された後の温度上昇率（ΔＴ／Δｔ）と第２設定温度上昇率（ΔＴ／Δｔ）ｓ１１との大小関係、及び、検出温度Ｔ２＞第４温度閾値Ｔｔｈｄと判定された後の温度上昇率（ΔＴ／Δｔ）と第２設定温度上昇率（ΔＴ／Δｔ）ｓ１２との大小関係がモータ制御手段を制限動作モードに設定するための判定基準に加わる。このため、請求項３の構成と比較して、第２温度閾値Ｔｔｈ２，Ｔｔｈｂ以上第４温度閾値Ｔｔｈ４，Ｔｔｈｄ以下の温度領域で急激なモータの温度上昇を捕捉した場合よりも、さらなる高温領域である第４温度閾値Ｔｔｈ４，Ｔｔｈｄ以上第１温度閾値Ｔｔｈ１，Ｔｔｈａ以下の温度領域において、急激なモータの温度上昇を捕捉した場合には、より迅速に制限動作モードに設定されることから、モータが過負荷状態となることがさらに効果的に防止される。
【発明の効果】
【００１５】
本発明によれば、モータが過負荷状態になることが防止される充電式電動工具を提供することができる。
【発明を実施するための最良の形態】
【００１６】
以下、本発明を具体化した実施形態について図面に従って説明する。
＜第１実施形態＞
図１（ａ）に示すように、本実施形態の充電式電動工具は、電動式ドライバとして使用されるものであり、ドライバ用先端工具が取り付けられる回転出力部１と、二次電池である電池パック２を駆動用電源とし、回転出力部１を減速機構であるギアボックス３を介して駆動するモータ４と、該モータ４の回転動作をオンオフすべく、ユーザによりトリガレバー５ａの操作を介して切り換えられる（オンオフされる）トリガスイッチ５とを備えている。
【００１７】
モータ４は、工具本体６に収納されており、電池パック２は、工具本体６のグリップ部６ａの下端に設けられた電池パック装着部６ｃに着脱自在に装着されている。また、トリガスイッチ５は、工具本体６に設けられた樹脂製のスイッチブロック８に収納されている。尚、電池パック２には、６個（複数）の電池セル２ａ，…が直列接続された状態で収容されている。また、図１（ａ）に示す充電式電動工具では、工具本体６のグリップ部６ａの下端近傍に回路基板６ｂが配設されている。
【００１８】
このモータ４は、ブラシ及びコミュテータを介してコイルに電流が供給される周知の構成のＤＣモータであり、端子付きのブラシ、コミュテータ、コイル、ロータ、及びステータ（いずれも図示省略）を収容した略円筒形のモータケース４ａを備えている。
【００１９】
また、モータ４には、トリガスイッチ５を介して電池パック２からの電力が供給されるリード線７が電気的に接続されており、同リード線７は、スイッチブロック８と接点部７ａにて電気的に接続されている。即ち、トリガレバー５ａを操作すれば、トリガスイッチ５によってリード線７を伝導してモータ４（のコイル）に供給される電力（電流）がオンオフされることになる。図１（ａ）に示すモータ４では、前記リード線７は、前記ブラシの端子及びコミュテータを介してコイルに電気的に接続されている。
【００２０】
本実施形態の充電式電動工具において、図１（ａ）に示す接点部７ａには、第１温度検出手段としての第１サーミスタ９が配設されている。このように、第１サーミスタ９は、モータ４のコイルに電力を供給するリード線７に配設されているので、モータ４において発熱源となるコイルからの伝熱が良好となり、当該モータ４の温度を追従性よく検出することが可能となる。
【００２１】
詳しくは、図１（ｂ）に示すように、第１サーミスタ９は、丸端子９ｍ付きのＮＴＣサーミスタであり、ねじｂ１及びナットｎ１を用いて、当該丸端子９ｍを介してサーミスタ本体９ｈが前記接点部７ａに固定（ねじ止め）されている。これにより、第１サーミスタ９は接点部７ａにねじ止めにより容易に取り付けされ、しかも、取り付け後の固定が安定するので、小型化できる等のＮＴＣサーミスタの利点を活かしつつ、温度検出が良好に行なえるようになる。
【００２２】
本実施形態の充電式電動工具では、前記第１サーミスタ９以外に、図１（ａ）に示すように、ＮＴＣサーミスタである第２温度検出手段としての第２サーミスタ９ａがモータケース４ａの温度を検知すべく、当該モータケース４ａにテープ９ｃを用いて貼付されている。また、図１（ｃ）に示すように、この充電式電動工具では、ＮＴＣサーミスタである第３温度検出手段としての第３サーミスタ９ｂが電池パック２の電池セル２ａの温度を検知すべく、当該電池セル２ａにテープ９ｄを用いて貼付されている。
【００２３】
図２に示すように、本実施形態の充電式電動工具は、その工具本体６に、モータ４への通電を調節するスイッチング素子としてのＦＥＴ１０と、該ＦＥＴ１０を介して前記モータ４の回転を制御するモータ制御手段としてのマイコン１１とを備えている。また、同充電式電動工具は、６個（複数）の直列接続された電池セル２ａ，…を有する電池パック２を備えている。
【００２４】
詳しくは、マイコン１１は、ＦＥＴ１０をオンすることでモータ４を最大出力で回転駆動するとともに、ＦＥＴ１０をオフすることで同モータ４の回転を停止させる。また、同ＦＥＴ１０をＰＷＭ（Pulse Width Modulation）駆動することで、モータ４の回転数を制御している。尚、マイコン１１では、ドライバ用先端工具（モータ４）に大きな回転トルクが必要な場合に、図２では図示しない周知の制御系を用い、ＦＥＴ１０のデューティ比を自動的に高めることで、モータ４に通電される電流を大きくし、その回転トルクを増大させている。
【００２５】
図２に示すように、前記トリガスイッチ５は、電池パック２の＋側に接続された第１固定接点Ｓ１と、モータ４の出力端子側とＦＥＴ１０との間に接続された第２固定接点Ｓ２と、モータ４の入力端子側に接続された可動接点Ｓ０とを備えている。そして、トリガレバー５ａの操作により、トリガスイッチ５がオンとなると、可動接点Ｓ０は第１固定接点Ｓ１に接続され、トリガスイッチ５がオフとなると、可動接点Ｓ０は第２固定接点Ｓ２に接続される。
【００２６】
また、マイコン１１には、電池パック２から供給される電力を制御する電源制御部１２と、該電池パック２及び電源制御部１２から出力される電圧をマイコン１１に適する電圧とする定電圧回路（レギュレータ）１３とが電気的に接続されている。この定電圧回路１３は、トリガスイッチ５の可動接点Ｓ０に接続されている。さらに、マイコン１１には、温度検出回路１４及び報知手段としてのＬＥＤ表示部１５が電気的に接続されている。このＬＥＤ表示部１５は、マイコン１１からの点灯制御信号に応じて点灯（光を出射）又は消灯される。
【００２７】
前記電源制御部１２は、ｐｎｐ型トランジスタＴＲ１、ｎｐｎ型トランジスタＴＲ２、及び、ダイオードＤ１，Ｄ２を備えている。ここで、トランジスタＴＲ１は、そのコレクタ端子が電池パック２の＋側、ベース端子がトランジスタＴＲ２のコレクタ端子、エミッタ端子が定電圧回路１３にそれぞれ接続されている。また、トランジスタＴＲ２のエミッタ端子は接地され、ベース端子はダイオードＤ２を介してマイコン１１に接続されているとともに、ダイオードＤ１を介して可動接点Ｓ０に接続されている。
【００２８】
そして、工具本体６には電池パック２が装着されており、前記トリガレバー５ａが操作され、トリガスイッチ５がオンとなると、電池パック２からの電力が定電圧回路１３でハイレベルの定電圧（５Ｖ）に調整され、マイコン１１に入力されるとともに、ダイオードＤ１を介してトランジスタＴＲ２のベース端子にハイレベルの電圧が印加される。
【００２９】
またトリガスイッチ５がオンとなったとき、トリガレバー５ａに配設され、その操作量（押し込み量）を検知する図示しないレバー操作検知回路から作動制御信号が出力され、定電圧回路１３を介してマイコン１１に入力される。すると、マイコン１１が当該作動制御信号を検知して作動するとともに、ダイオードＤ２を介してトランジスタＴＲ２のベース端子にハイレベルの電圧を印加する。
【００３０】
すると、トランジスタＴＲ２がオンとなるとともにトランジスタＴＲ１がオンとなり、マイコン１１に電池パック２からトランジスタＴＲ１及び定電圧回路１３を介して電力が供給され、同マイコン１１に電源が入った状態となる。
【００３１】
このとき、トランジスタＴＲ２のベース端子には、マイコン１１からダイオードＤ２を介してハイレベルの電圧が印加されているので、同トランジスタＴＲ２のベース端子に、マイコン１１からローレベルの電圧（０Ｖ）が印加されない限り、トランジスタＴＲ２がオンのまま維持される。即ち、マイコン１１からトランジスタＴＲ２にローレベルの電圧（０Ｖ）が印加されると、トランジスタＴＲ２及びトランジスタＴＲ１がオフとなり、同トランジスタＴＲ１を介する電池パック２からマイコン１１への電力供給が停止し、マイコン１１の電源が切断される。
【００３２】
トランジスタＴＲ２のベース端子にハイレベルの電圧が印加されている状態では、トリガレバー５ａが操作され、トリガスイッチ５がオフとなっても、マイコン１１には定電圧回路１３から電圧（５Ｖ）が供給された状態が維持される。
【００３３】
また、トリガスイッチ５がオフとなっても、マイコン１１からトランジスタＴＲ２に約１分間程度はハイレベルの電圧の印加が継続され、ＬＥＤ表示部１５の制御等が引き続いて行われる。そして、約１分間経過後、マイコン１１からトランジスタＴＲ２にローレベルの電圧が自動的に印加され、これによりトランジスタＴＲ２及びトランジスタＴＲ１がオフとなり、電池パック２からマイコン１１への電力供給が停止し、マイコン１１の動作が停止する。
【００３４】
本実施形態の充電式電動工具において、マイコン１１には、リード線７とスイッチブロック８との接点部７ａに配設された第１サーミスタ９（図１参照）が前記温度検出回路１４を介して接続されており、同温度検出回路１４は、第１サーミスタ９の温度により変化する抵抗値を、温度検出信号としての電圧信号に変換し、マイコン１１に入力する。そして、同電圧信号は、マイコン１１において所定のＡ／Ｄ変換を経て、リード線７の前記接点部７ａにおける検出温度Ｔ１（deg）に変換される。
【００３５】
この温度検出回路１４には、前記第１サーミスタ９以外に、モータケース４ａに配設された第２サーミスタ９ａ、及び、電池パック２の電池セル２ａに配設された第３サーミスタ９ｂが電気的に接続されており（図１参照）、前記第１サーミスタ９と同様に、それぞれの抵抗値の変化が温度検出回路１４で電圧信号（温度検出信号）に変換され、さらにマイコン１１において、電池セル２ａにおける検出温度Ｔ２（deg）、モータケース４ａにおける検出温度Ｔ３（deg）に各々変換される。
【００３６】
尚、本実施形態の充電式電動工具において、ＦＥＴ１０、マイコン１１、電源制御部１２、定電圧回路１３、温度検出回路１４、及びＬＥＤ表示部１５は、工具本体６のグリップ部６ａに収容された回路基板６ｂ（図１参照）に実装又は形成されている。
【００３７】
本実施形態の充電式電動工具は、以上のように構成されており、前記リード線７に配設された第１サーミスタ９には、第１温度閾値Ｔｔｈ１、該第１温度閾値Ｔｔｈ１よりも設定温度差ΔＴｓ１低い第２温度閾値Ｔｔｈ２、第１設定温度上昇率（ΔＴ／Δｔ）ｓ１、及び、前記第２温度閾値Ｔｔｈ２よりも設定温度差ΔＴｓ２低い第３温度閾値Ｔｔｈ３が設定されている。
【００３８】
また、マイコン１１は、前記第１サーミスタ９から出力される温度検出信号に基づき、温度上昇度ΔＴを経過時間Δｔで除した温度上昇率（ΔＴ／Δｔ）を演算する。さらに、同マイコン１１は、トリガスイッチ５の切換を契機として、第１サーミスタ９から出力される温度検出信号に基づく検出温度Ｔ１と、前記第１温度閾値Ｔｔｈ１、第２温度閾値Ｔｔｈ２、及び第３温度閾値Ｔｔｈ３との各大小関係、並びに、前記温度上昇率（ΔＴ／Δｔ）と第１設定温度上昇率（ΔＴ／Δｔ）ｓ１との大小関係をそれぞれ判定する。そして、マイコン１１は、検出温度Ｔ１＞第１温度閾値Ｔｔｈ１と判定するか、又は、検出温度Ｔ１＞第２温度閾値Ｔｔｈ２と判定した後、温度上昇率（ΔＴ／Δｔ）＞第１設定温度上昇率（ΔＴ／Δｔ）ｓ１と判定した場合に、モータ４が過負荷状態となりうると判断し、ＦＥＴ１０のデューティ比を変更することにより、同モータ４の回転数を所定値以下に制限する「制限動作モード」に設定される。
【００３９】
尚、本実施形態において、第１設定温度上昇率（ΔＴ／Δｔ）ｓ１は、２℃／［sec］以上４℃／［sec］未満に設定することが好ましい。
さらに、本実施形態においては、マイコン１１は、「制限動作モード」に設定された状態において、トリガスイッチ５の切換を契機として、検出温度Ｔ１と第３温度閾値Ｔｔｈ３との大小関係を判定し、検出温度Ｔ１＜第３温度閾値Ｔｔｈ３と判定した場合に、当該「制限動作モード」を解除し、モータ４の回転について何ら制限なく、ＦＥＴ１０を介して通常とおりにモータ４を回転制御する「通常動作モード」に復帰する。
【００４０】
ここで、第１温度閾値Ｔｔｈ１（＝８０（deg））は、例えば、コンクリートや金属等の硬質な対象物に複数本のボルトを連続して捩じ込む場合等、モータ４に大きな回転トルクが発生し、ユーザが断続的にトリガレバー５ａを操作することで、図３のグラフ図に示すように、モータ４に間欠的に大電流が供給されてモータ４がロック状態となる場合において、モータ４が過負荷状態となる以前の温度閾値として、リード線７の接点部７ａについてマイコン１１にて設定され、そのメモリに記憶されたものである。尚、図３に示すように、モータ４は、コイルの温度が１００（deg）となることで過負荷状態となる。また、マイコン１１は、トリガレバー５ａの操作（トリガスイッチ５の切換）を前記作動制御信号の入力により検知する。
【００４１】
本発明者らが見出した知見によれば、図３に示すように、モータ４に間欠的に大電流が流れ、当該モータ４がロック状態となる場合では、モータケース４ａに配設された第２サーミスタ９ａや、電池パック２に配設された第３サーミスタ９ｂよりも、リード線７とスイッチブロック８との接点部７ａに配設された第１サーミスタ９の方が、発熱源であるコイルの温度に対して追従性が良好であることが判っている。この原因は、接点部７ａのリード線７や丸端子９ｍは、モータケース４ａと比較して、熱容量が小さいことから温度が上昇し易い反面、温度の低下も起こり易いところ、このようにモータ４（コイル）に間欠的に大電流が流れて温度が急激に上昇する場合では、接点部７ａへの熱の流入量が放出量を上回り、温度上昇が優先するためと考えられる。前記第１温度閾値Ｔｔｈ１は、このような知見を背景として設定した温度閾値である。
【００４２】
また、第２温度閾値Ｔｔｈ２（＝６７（deg））は、第１温度閾値Ｔｔｈ１より設定温度差ΔＴｓ１（ここでは１３（deg））低く設定された温度閾値である。
さらに、第３温度閾値Ｔｔｈ３（＝６０（deg））は、第２温度閾値Ｔｔｈ２より設定温度差ΔＴｓ２（ここでは７（deg））低く設定された温度閾値であり、モータ４がロック状態となる場合に、検出温度Ｔ１が当該第３温度閾値Ｔｔｈ３未満となれば、モータ４に発煙等が生じる可能性が皆無となるように設定している。
【００４３】
従って、前述したロック状態において、リード線７の接点部７ａの検出温度Ｔ１が第１温度閾値Ｔｔｈ１未満の状態でモータ４が使用される限り、当該モータ４が過負荷状態となり、コイルやモータケースが高温となって発煙が生じることが未然に防止されることになる。尚、この「制限動作モード」では、モータ４の回転数を所定値以下に制限する代わりに、ＦＥＴ１０をオフとし（ＦＥＴ１０のデューティ比を０とし）、モータ４の動作を停止してもよい。
【００４４】
以下、図４のフローチャートを参照しつつ、本実施形態の充電式電動工具の制御系の動作を具体的に説明する。
図４に示すように、ユーザによってトリガレバー５ａが操作され、トリガスイッチ５がオンされると、前記レバー操作検知回路から定電圧回路１３を介して作動制御信号がマイコン１１に入力される（ステップＳ１）。
【００４５】
すると、マイコン１１は、電源が切断されている場合には、前述したように電源が入って作動を開始し、第１サーミスタ９から出力される温度検出信号に基づく検出温度Ｔ１と第１温度閾値Ｔｔｈ１との大小関係を判定する（ステップＳ２）。尚、充電式電動工具の起動直後の初期状態では、マイコン１１は、「通常動作モード」に設定されている。
【００４６】
そして、ステップＳ２において、検出温度Ｔ１＞第１温度閾値Ｔｔｈ１と判定された場合には（ＹＥＳの場合）、モータ４が過負荷状態となりうると判断され、マイコン１１が「通常動作モード」から「制限動作モード」に設定変更される（図３参照）。すると、ユーザにその旨を報知すべく、マイコン１１によってＬＥＤ表示部１５が点灯される。尚、既に「制限動作モード」に設定されている場合には、当該「制限動作モード」が維持される（ステップＳ３）。
【００４７】
一方、ステップＳ２において、検出温度Ｔ１＜第１温度閾値Ｔｔｈ１と判定された場合には（ＮＯの場合）、検出温度Ｔ１と第２温度閾値Ｔｔｈ２との大小関係が判定される（ステップＳ３ａ）。
【００４８】
そして、ステップＳ３ａにおいて、検出温度Ｔ１＞第２温度閾値Ｔｔｈ２と判定された場合には（ＹＥＳの場合）、温度上昇率（ΔＴ／Δｔ）と第１設定温度上昇率（ΔＴ／Δｔ）ｓ１との大小関係が判定される（ステップＳ４ａ）。
【００４９】
一方、ステップＳ３ａにおいて、検出温度Ｔ１＜第２温度閾値Ｔｔｈ２と判定された場合には（ＮＯの場合）、ステップＳ１においてトリガレバー５ａの操作の有無が判断される。
【００５０】
そして、ステップＳ４ａにおいて、温度上昇率（ΔＴ／Δｔ）＞第１設定温度上昇率（ΔＴ／Δｔ）ｓ１と判定された場合には（ＹＥＳの場合）、ステップＳ３に移行し、マイコン１１が「通常動作モード」から「制限動作モード」に設定変更され、前述と同様の動作が行われる（ステップＳ３）。
【００５１】
一方、ステップＳ４ａにおいて、温度上昇率（ΔＴ／Δｔ）＜第１設定温度上昇率（ΔＴ／Δｔ）ｓ１と判定された場合には（ＮＯの場合）、マイコン１１は「通常動作モード」を維持する（ステップＳ５ａ）。
【００５２】
マイコン１１が「制限動作モード」に設定されている場合において、ユーザによってトリガレバー５ａが操作され、トリガスイッチ５が切り換えられる（ステップＳ４）と、マイコン１１は、検出温度Ｔ１（deg）と第３温度閾値Ｔｔｈ３（deg）との大小関係を判定する（ステップＳ５）。
【００５３】
そして、ステップＳ５において、モータ４のコイルが放熱されており、検出温度Ｔ１＜第３温度閾値Ｔｔｈ３と判定された場合には（ＹＥＳの場合）、マイコン１１が「制限動作モード」から「通常動作モード」に設定変更（復帰）される（図３参照）。すると、ユーザにその旨を報知すべく、マイコン１１によってＬＥＤ表示部１５が消灯される（ステップＳ５ａ）。
【００５４】
一方、ステップＳ５において、検出温度Ｔ１＜第３温度閾値Ｔｔｈ３と判定された場合には（ＮＯの場合）、マイコン１１が「制限動作モード」を維持する（ステップＳ３）。
従って、マイコン１１がこのように「制限動作モード」に設定されている場合では、トリガスイッチ５が再度オンされても、該検出温度Ｔ１が第３温度閾値Ｔｔｈ３未満とならない限り、マイコン１１は「通常動作モード」に復帰することはない。
【００５５】
尚、マイコン１１が「通常動作モード」に設定されている場合において、ユーザによってトリガレバー５ａが操作され、トリガスイッチ５が切り換えられる（ステップＳ６ａ）と、前記したステップＳ２の判定が行なわれる。
【００５６】
本実施形態の充電式電動工具によれば、以下のような作用・効果を得ることができる。
（１）「通常動作モード」において、トリガスイッチ５の切換を契機として、検出温度Ｔ１＞第１温度閾値Ｔｔｈ１と判定されるか、又は、検出温度Ｔ１＞第２温度閾値Ｔｔｈ２と判定された後、温度上昇率（ΔＴ／Δｔ）＞第１設定温度上昇率（ΔＴ／Δｔ）ｓ１と判定された場合に、モータ４が過負荷状態となりうると判断され、マイコン１１が、同モータ４の回転数を所定値以下に制限する「制限動作モード」に設定される。このため、モータ４が実際に過負荷状態となる以前に、モータ４の回転数が所定値以下に制限されるので、モータ４に発煙等の異常が生じることが防止される。しかも、第１サーミスタ９は、モータ４のコイルに電力を供給するリード線７に配設されているので、発熱源となるコイルからの伝熱が良好となり、コイルの温度を追従性よく検出することも可能となる。そしてこれにより、検出温度Ｔ１＞第１温度閾値Ｔｔｈ１と判定されることのみでマイコン１１が「制限動作モード」に設定される場合と比較して、検出温度Ｔ１＞第２温度閾値Ｔｔｈ２と判定された後の温度上昇率（ΔＴ／Δｔ）と第１設定温度上昇率（ΔＴ／Δｔ）ｓ１との大小関係がマイコン１１を「制限動作モード」に設定するための判定基準に加わるため、単に検出温度Ｔ１が第１温度閾値Ｔｔｈ１を超えることだけでなく、急激なコイル（モータ４）の温度上昇を捕捉することでもマイコン１１が「制限動作モード」に設定されることから、モータ４が過負荷状態となることが効果的に防止される。尚、トリガレバー５ａが操作され、検出温度Ｔ１＜第３温度閾値Ｔｔｈ３と判定されると、マイコン１１は「通常動作モード」に復帰するので、充電式電動工具の取り扱い性が損なわれることもない。
＜第２実施形態＞
本実施形態の充電式電動工具の構成は、図１及び図２に示した第１実施形態の充電式電動工具の構成と同様であり、共通する部位には同一又は対応する符号を付してその説明を省略する。
【００５７】
本実施形態の充電式電動工具において、前記リード線７に配設された第１サーミスタ９には、第１温度閾値Ｔｔｈ１、該第１温度閾値Ｔｔｈ１よりも設定温度差ΔＴｓ１低い第２温度閾値Ｔｔｈ２、第１設定温度上昇率（ΔＴ／Δｔ）ｓ１、及び、前記第２温度閾値Ｔｔｈ２よりも設定温度差ΔＴｓ２低い第３温度閾値Ｔｔｈ３が設定されている。また、モータケース４ａに配設された第２サーミスタ９ａには、第１温度閾値Ｔｔｈａ、該第１温度閾値Ｔｔｈａよりも設定温度差ΔＴｓａ低い第２温度閾値Ｔｔｈｂ、第１設定温度上昇率（ΔＴ／Δｔ）ｓ２、及び、前記第２温度閾値Ｔｔｈｂよりも設定温度差ΔＴｓｂ低い第３温度閾値Ｔｔｈｃが設定されている。
【００５８】
また、マイコン１１は、前記第１サーミスタ９及び第２サーミスタ９ａから出力される各温度検出信号に基づき、温度上昇度ΔＴを経過時間Δｔで除した温度上昇率（ΔＴ／Δｔ）を演算する。
【００５９】
さらに、同マイコン１１は、トリガスイッチ５の切換を契機として、第１サーミスタ９から出力される温度検出信号に基づく検出温度Ｔ１と、第１温度閾値Ｔｔｈ１及び第２温度閾値Ｔｔｈ２との各大小関係、前記温度上昇率（ΔＴ／Δｔ）と第１設定温度上昇率（ΔＴ／Δｔ）ｓ１との大小関係、第２サーミスタ９ａから出力される温度検出信号に基づく検出温度Ｔ２と、第１温度閾値Ｔｔｈａ及び第２温度閾値Ｔｔｈｂとの各大小関係、並びに、前記温度上昇率（ΔＴ／Δｔ）と第１設定温度上昇率（ΔＴ／Δｔ）ｓ２との大小関係をそれぞれ判定する。
【００６０】
そして、同マイコン１１は、検出温度Ｔ１＞第１温度閾値Ｔｔｈ１、若しくは、検出温度Ｔ２＞第１温度閾値Ｔｔｈａと判定した場合、又は、検出温度Ｔ１＞第２温度閾値Ｔｔｈ２と判定した後、温度上昇率（ΔＴ／Δｔ）＞第１設定温度上昇率（ΔＴ／Δｔ）ｓ１と判定した場合、若しくは、検出温度Ｔ２＞第２温度閾値Ｔｔｈｂと判定した後、温度上昇率（ΔＴ／Δｔ）＞第１設定温度上昇率（ΔＴ／Δｔ）ｓ２と判定した場合に、モータ４が過負荷状態となりうると判断し、前記した「制限動作モード」に設定される。
【００６１】
本実施形態において、第１設定温度上昇率（ΔＴ／Δｔ）ｓ１は、２℃／［sec］以上４℃／［sec］未満に設定することが好ましく、第１設定温度上昇率（ΔＴ／Δｔ）ｓ２は、４℃／［sec］以上６℃／［sec］未満に設定することが好ましい。
【００６２】
さらに、本実施形態においては、マイコン１１は、「制限動作モード」に設定された状態において、トリガスイッチ５の切換を契機として、検出温度Ｔ１と第３温度閾値Ｔｔｈ３との大小関係、及び、検出温度Ｔ２と第３温度閾値Ｔｔｈｃとの大小関係をそれぞれ判定する。
【００６３】
そして、マイコン１１は、検出温度Ｔ１＜第３温度閾値Ｔｔｈ３、且つ、検出温度Ｔ２＜第３温度閾値Ｔｔｈｃと判定した場合に、当該「制限動作モード」を解除して「通常動作モード」に復帰する。
【００６４】
ここで、第１温度閾値Ｔｔｈａ（＝９０（deg））は、例えば、木材やプラスチック等の軟質な対象物に複数本のボルトを連続して捩じ込む場合等、モータ４に比較的小さな回転トルクが発生し、ユーザが断続的にトリガレバー５ａを操作することで、図５のグラフ図に示すように、モータ４に低電流が長時間（３０分程度）連続して供給される場合に、モータ４が過負荷状態となる以前の温度閾値として、モータケース４ａについてマイコン１１にて設定され、そのメモリに記憶されたものである。尚、図５に示すように、モータ４は、コイルの温度が１００（deg）となることで過負荷状態となる。また、マイコン１１は、トリガレバー５ａの操作（トリガスイッチ５の切換）を前記作動制御信号の入力により検知する。
【００６５】
本発明者らが見出した知見によれば、図５に示すように、モータ４に低電流が長時間連続して流れる場合では、リード線７とスイッチブロック８との接点部７ａに配設された第１サーミスタ９や、電池パック２に配設された第３サーミスタ９ｂよりも、モータケース４ａに配設された第２サーミスタ９ａの方が、発熱源であるコイルの温度に対して追従性が良好であることが判っている。この原因は、モータケース４ａは、接点部７ａのリード線７や丸端子９ｍと比較して、熱容量が大きいことから温度が上昇し難い反面、温度の低下も起こり難いところ、このようにモータ４（コイル）に低電流が長時間連続して流れ、温度が緩やかに上昇する場合では、モータケース４ａに徐々に熱が流入して蓄熱するので、少しずつではあるが確実に温度が上昇するためと考えられる。前記第１温度閾値Ｔｔｈａは、このような知見を背景としてモータケース４ａについて設定した温度閾値である。
【００６６】
また、第２温度閾値Ｔｔｈｂ（＝８０（deg））は、第１温度閾値Ｔｔｈａより設定温度差ΔＴｓａ（ここでは１０（deg））低く設定された温度閾値である。
さらに、第３温度閾値Ｔｔｈｃ（＝６０（deg））は、第２温度閾値Ｔｔｈｂより設定温度差ΔＴｓｂ（ここでは２０（deg））低く設定された温度閾値であり、検出温度Ｔ２が当該第３温度閾値Ｔｔｈｃ未満となれば、モータ４に発煙等が生じる可能性が皆無となるように設定している。
【００６７】
従って、前述した低電流での連続使用状態において、モータケース４ａの検出温度Ｔ２が第１温度閾値Ｔｔｈａ未満の状態でモータ４が使用される限り、当該モータ４が過負荷状態となり、コイルやモータケースが高温となって発煙が生じることが未然に防止されることになる。尚、この「制限動作モード」では、モータ４の回転数を所定値以下に制限する代わりに、ＦＥＴ１０をオフとし、モータ４の動作を停止してもよい。
【００６８】
以下、図６のフローチャートを参照しつつ、本実施形態の充電式電動工具の制御系の動作を具体的に説明する。
図６に示すように、ユーザによってトリガレバー５ａが操作され、トリガスイッチ５がオンされると、前記レバー操作検知回路から定電圧回路１３を介して作動制御信号がマイコン１１に入力される（ステップＳ１１）。
【００６９】
すると、マイコン１１は、電源が切断されている場合には、前述したように電源が入って作動を開始し、第１サーミスタ９から出力される温度検出信号に基づく検出温度Ｔ１と第１温度閾値Ｔｔｈ１との大小関係、及び、第２サーミスタ９ａから出力される温度検出信号に基づく検出温度Ｔ２と第１温度閾値Ｔｔｈａとの大小関係をそれぞれ判定する（ステップＳ１２）。尚、充電式電動工具の起動直後の初期状態では、マイコン１１は、「通常動作モード」に設定されている。
【００７０】
そして、ステップＳ１２において、検出温度Ｔ１＞第１温度閾値Ｔｔｈ１、又は、検出温度Ｔ２＞第１温度閾値Ｔｔｈａと判定された場合には（ＹＥＳの場合）、モータ４が過負荷状態となりうると判断され、マイコン１１が「通常動作モード」から「制限動作モード」に設定変更される（図５参照）。すると、ユーザにその旨を報知すべく、マイコン１１によってＬＥＤ表示部１５が点灯される。尚、既に「制限動作モード」に設定されている場合には、当該「制限動作モード」が維持される（ステップＳ１３）。
【００７１】
一方、ステップＳ１２において、検出温度Ｔ１＜第１温度閾値Ｔｔｈ１、且つ、検出温度Ｔ２＜第１温度閾値Ｔｔｈａと判定された場合には（ＮＯの場合）、検出温度Ｔ１と第２温度閾値Ｔｔｈ２との大小関係、及び、検出温度Ｔ２と第２温度閾値Ｔｔｈｂとの大小関係がそれぞれ判定される（ステップＳ１３ａ）。
【００７２】
そして、ステップＳ１３ａにおいて、検出温度Ｔ１＞第２温度閾値Ｔｔｈ２、又は、検出温度Ｔ２＞第２温度閾値Ｔｔｈｂと判定された場合には（ＹＥＳの場合）、温度上昇率（ΔＴ／Δｔ）と第１設定温度上昇率（ΔＴ／Δｔ）ｓ１との大小関係、及び、温度上昇率（ΔＴ／Δｔ）と第１設定温度上昇率（ΔＴ／Δｔ）ｓ２との大小関係が判定される（ステップＳ１４ａ）。
【００７３】
一方、ステップＳ１３ａにおいて、検出温度Ｔ１＜第２温度閾値Ｔｔｈ２、且つ、検出温度Ｔ２＜第２温度閾値Ｔｔｈｂと判定された場合には（ＮＯの場合）、ステップＳ１１においてトリガレバー５ａの操作の有無が判断される。
【００７４】
そして、ステップＳ１４ａにおいて、温度上昇率（ΔＴ／Δｔ）＞第１設定温度上昇率（ΔＴ／Δｔ）ｓ１、又は、温度上昇率（ΔＴ／Δｔ）＞第１設定温度上昇率（ΔＴ／Δｔ）ｓ２と判定された場合には（ＹＥＳの場合）、ステップＳ１３に移行し、マイコン１１が「通常動作モード」から「制限動作モード」に設定変更され、前述と同様の動作が行われる（ステップＳ１３）。
【００７５】
一方、ステップＳ１４ａにおいて、温度上昇率（ΔＴ／Δｔ）＜第１設定温度上昇率（ΔＴ／Δｔ）ｓ１、且つ、温度上昇率（ΔＴ／Δｔ）＜第１設定温度上昇率（ΔＴ／Δｔ）ｓ２と判定された場合には（ＮＯの場合）、マイコン１１は「通常動作モード」を維持する（ステップＳ１５ａ）。
【００７６】
マイコン１１が「制限動作モード」に設定されている場合において、ユーザによってトリガレバー５ａが操作され、トリガスイッチ５が切り換えられる（ステップＳ１４）と、マイコン１１は、検出温度Ｔ１（deg）と第３温度閾値Ｔｔｈ３（deg）との大小関係、及び、検出温度Ｔ２（deg）と第３温度閾値Ｔｔｈｃ（deg）との大小関係をそれぞれ判定する（ステップＳ５）。
【００７７】
そして、ステップＳ１５において、モータ４のコイルが放熱されており、検出温度Ｔ１＜第３温度閾値Ｔｔｈ３、且つ、検出温度Ｔ２＜第３温度閾値Ｔｔｈｃと判定された場合には（ＹＥＳの場合）、マイコン１１が「制限動作モード」から「通常動作モード」に設定変更（復帰）される（図５参照）。すると、ユーザにその旨を報知すべく、マイコン１１によってＬＥＤ表示部１５が消灯される（ステップＳ１５ａ）。
【００７８】
一方、ステップＳ１５において、検出温度Ｔ１＞第３温度閾値Ｔｔｈ３、又は、検出温度Ｔ２＞第３温度閾値Ｔｔｈｃと判定された場合には（ＮＯの場合）、マイコン１１が「制限動作モード」を維持する（ステップＳ１３）。
【００７９】
従って、マイコン１１がこのように「制限動作モード」に設定されている場合では、トリガスイッチ５が再度オンされても、該検出温度Ｔ１が第３温度閾値Ｔｔｈ３未満、且つ、検出温度Ｔ２が第３温度閾値Ｔｔｈｃ未満とならない限り、マイコン１１は「通常動作モード」に復帰することはない。
【００８０】
尚、マイコン１１が「通常動作モード」に設定されている場合において、ユーザによってトリガレバー５ａが操作され、トリガスイッチ５が切り換えられる（ステップＳ１６ａ）と、前記したステップＳ１２の判定が行なわれる。
【００８１】
本実施形態の充電式電動工具によれば、以下のような作用・効果を得ることができる。
（２）トリガスイッチ５の切換を契機として、検出温度Ｔ１＞第１温度閾値Ｔｔｈ１、若しくは、検出温度Ｔ２＞第１温度閾値Ｔｔｈａと判定された場合、検出温度Ｔ１＞第２温度閾値Ｔｔｈ２と判定された後、温度上昇率（ΔＴ／Δｔ）＞第１設定温度上昇率（ΔＴ／Δｔ）ｓ１と判定された場合、又は、検出温度Ｔ２＞第２温度閾値Ｔｔｈｂと判定された後、温度上昇率（ΔＴ／Δｔ）＞第１設定温度上昇率（ΔＴ／Δｔ）ｓ２と判定された場合に、モータ４が過負荷状態となりうると判断され、マイコン１１が、同モータ４の回転数を所定値以下に制限する「制限動作モード」に設定される。このため、モータ４が実際に過負荷状態となる以前に、モータ４の回転数が所定値以下に制限されるので、モータ４に発煙等の異常が生じることが防止される。またこれにより、検出温度Ｔ１＞第１温度閾値Ｔｔｈ１、又は、検出温度Ｔ２＞第１温度閾値Ｔｔｈａと判定されることのみでマイコン１１が「制限動作モード」に設定される場合と比較して、検出温度Ｔ１＞第２温度閾値Ｔｔｈ２、又は、検出温度Ｔ２＞第２温度閾値Ｔｔｈｂと判定された後の温度上昇率（ΔＴ／Δｔ）と第１設定温度上昇率（ΔＴ／Δｔ）ｓ１との大小関係、又は、温度上昇率（ΔＴ／Δｔ）と第１設定温度上昇率（ΔＴ／Δｔ）ｓ２との大小関係がマイコン１１を「制限動作モード」に設定するための判定基準に加わるため、モータ４のロック状態やモータ４の低電流での連続使用状態等の充電式電動工具の多様な使用状態において、検出温度Ｔ１が第１温度閾値Ｔｔｈ１を超えたり、検出温度Ｔ２が第１温度閾値Ｔｔｈａを超えたりすることだけでなく、第２温度閾値Ｔｔｈ２，Ｔｔｈｂ以上の温度領域で急激なコイル（モータ４）の温度上昇率を捕捉することでもマイコン１１が「制限動作モード」に設定されることから、モータ４が過負荷状態となることがさらに効果的に防止される。尚、トリガレバー５ａが操作され、検出温度Ｔ１＜第３温度閾値Ｔｔｈ３、且つ、検出温度Ｔ２＜第３温度閾値Ｔｔｈｃと判定されると、マイコン１１は「通常動作モード」に復帰するので、充電式電動工具の取り扱い性が損なわれることもない。
＜第３実施形態＞
本実施形態の充電式電動工具の構成は、図１及び図２に示した第１実施形態の充電式電動工具の構成と同様であり、共通する部位には同一又は対応する符号を付してその説明を省略する。
【００８２】
本実施形態の充電式電動工具において、前記リード線７に配設された第１サーミスタ９には、第１温度閾値Ｔｔｈ１、該第１温度閾値Ｔｔｈ１よりも設定温度差ΔＴｓ１低い第２温度閾値Ｔｔｈ２、第１設定温度上昇率（ΔＴ／Δｔ）ｓ１、及び、前記第２温度閾値Ｔｔｈ２よりも設定温度差ΔＴｓ２低い第３温度閾値Ｔｔｈ３が設定されている。また、モータケース４ａに配設された第２サーミスタ９ａには、第１温度閾値Ｔｔｈａ、該第１温度閾値Ｔｔｈａよりも設定温度差ΔＴｓａ低い第２温度閾値Ｔｔｈｂ、第１設定温度上昇率（ΔＴ／Δｔ）ｓ２、及び、前記第２温度閾値Ｔｔｈｂよりも設定温度差ΔＴｓｂ低い第３温度閾値Ｔｔｈｃが設定されている。さらに、前記リード線７に配設された第１サーミスタ９、モータケース４ａに配設された第２サーミスタ９ａには、それぞれ、前記第２温度閾値Ｔｔｈ２，Ｔｔｈｂより高く、第１温度閾値Ｔｔｈ１，Ｔｔｈａより低い第４温度閾値Ｔｔｈ４，Ｔｔｈｄ、及び、前記第１設定温度上昇率（ΔＴ／Δｔ）ｓ１，（ΔＴ／Δｔ）ｓ２より小さい第２設定温度上昇率（ΔＴ／Δｔ）ｓ１１，（ΔＴ／Δｔ）ｓ１２が設定されている。
【００８３】
また、同マイコン１１は、トリガスイッチ５の切換を契機として、前記第１サーミスタ９，第２サーミスタ９ａから出力される温度検出信号に基づく検出温度Ｔ１，Ｔ２と、前記第４温度閾値Ｔｔｈ４，Ｔｔｈｄとの各大小関係、及び、前記温度上昇率（ΔＴ／Δｔ）と、第２設定温度上昇率（ΔＴ／Δｔ）ｓ１１，（ΔＴ／Δｔ）ｓ１２との大小関係をそれぞれ判定する。
【００８４】
そして、同マイコン１１は、検出温度Ｔ１＞第４温度閾値Ｔｔｈ４と判定した後、温度上昇率（ΔＴ／Δｔ）＞第２設定温度上昇率（ΔＴ／Δｔ）ｓ１１と判定した場合、又は、検出温度Ｔ２＞第４温度閾値Ｔｔｈｄと判定した後、温度上昇率（ΔＴ／Δｔ）＞第２設定温度上昇率（ΔＴ／Δｔ）ｓ１２と判定した場合に、モータ４が過負荷状態となりうると判断し、前記した「制限動作モード」に設定される。
【００８５】
本実施形態において、第２設定温度上昇率（ΔＴ／Δｔ）ｓ１１は、第１設定温度上昇率（ΔＴ／Δｔ）ｓ１より小さくなるように、１℃／［sec］以上２℃／［sec］未満に設定することが好ましく、第２設定温度上昇率（ΔＴ／Δｔ）ｓ１２は、第１設定温度上昇率（ΔＴ／Δｔ）ｓ２より小さくなるように、２℃／［sec］以上４℃／［sec］未満に設定することが好ましい。
【００８６】
さらに、本実施形態においては、マイコン１１は、「制限動作モード」に設定された状態において、トリガスイッチ５の切換を契機として、検出温度Ｔ１と第３温度閾値Ｔｔｈ３との大小関係、及び、検出温度Ｔ２と第３温度閾値Ｔｔｈｃとの大小関係をそれぞれ判定する。
【００８７】
そして、検出温度Ｔ１＜第３温度閾値Ｔｔｈ３、且つ、検出温度Ｔ２＜第３温度閾値Ｔｔｈｃと判定した場合に、当該「制限動作モード」を解除して「通常動作モード」に復帰する。
【００８８】
ここで、第４温度閾値Ｔｔｈ４（＝７５（deg））は、第１温度閾値Ｔｔｈ１より設定温度差ΔＴｓ３（ここでは５（deg））低く設定された温度閾値である。また、第４温度閾値Ｔｔｈｄ（＝８５（deg））は、第１温度閾値Ｔｔｈａより設定温度差ΔＴｓｃ（ここでは５（deg））低く設定された温度閾値である。
【００８９】
以下、図８のフローチャートを参照しつつ、本実施形態の充電式電動工具の制御系の動作を具体的に説明する。
図８に示すように、ユーザによってトリガレバー５ａが操作され、トリガスイッチ５がオンされると、前記レバー操作検知回路から定電圧回路１３を介して作動制御信号がマイコン１１に入力される（ステップＳ２１）。
【００９０】
すると、マイコン１１は、電源が切断されている場合には、前述したように電源が入って作動を開始し、第１サーミスタ９から出力される温度検出信号に基づく検出温度Ｔ１と第１温度閾値Ｔｔｈ１との大小関係、及び、第２サーミスタ９ａから出力される温度検出信号に基づく検出温度Ｔ２と第１温度閾値Ｔｔｈａとの大小関係を判定する（ステップＳ２２）。尚、充電式電動工具の起動直後の初期状態では、マイコン１１は、「通常動作モード」に設定されている。
【００９１】
そして、ステップＳ２２において、検出温度Ｔ１＞第１温度閾値Ｔｔｈ１、又は、検出温度Ｔ２＞第１温度閾値Ｔｔｈａと判定された場合には（ＹＥＳの場合）、モータ４が過負荷状態となりうると判断され、マイコン１１が「通常動作モード」から「制限動作モード」に設定変更される（図７参照）。すると、ユーザにその旨を報知すべく、マイコン１１によってＬＥＤ表示部１５が点灯される。尚、既に「制限動作モード」に設定されている場合には、当該「制限動作モード」が維持される（ステップＳ２３）。
【００９２】
一方、ステップＳ２２において、検出温度Ｔ１＜第１温度閾値Ｔｔｈ１、且つ、検出温度Ｔ２＜第１温度閾値Ｔｔｈａと判定された場合には（ＮＯの場合）、検出温度Ｔ１と第４温度閾値Ｔｔｈ４との大小関係、及び、検出温度Ｔ２と第４温度閾値Ｔｔｈｄとの大小関係がそれぞれ判定される（ステップＳ２３ａ）。
【００９３】
そして、ステップＳ２３ａにおいて、検出温度Ｔ１＞第４温度閾値Ｔｔｈ４、又は、検出温度Ｔ２＞第４温度閾値Ｔｔｈｄと判定された場合には（ＹＥＳの場合）、温度上昇率（ΔＴ／Δｔ）と第２設定温度上昇率（ΔＴ／Δｔ）ｓ１１との大小関係、及び、温度上昇率（ΔＴ／Δｔ）と第２設定温度上昇率（ΔＴ／Δｔ）ｓ１２との大小関係が判定される（ステップＳ２４ａ）。
【００９４】
一方、ステップＳ２３ａにおいて、検出温度Ｔ１＜第４温度閾値Ｔｔｈ４、且つ、検出温度Ｔ２＜第４温度閾値Ｔｔｈｄと判定された場合には（ＮＯの場合）、検出温度Ｔ１と第２温度閾値Ｔｔｈ２との大小関係、及び、検出温度Ｔ２と第２温度閾値Ｔｔｈｂとの大小関係がそれぞれ判定される（ステップＳ２５ａ）。
【００９５】
そして、ステップＳ２５ａにおいて、検出温度Ｔ１＞第２温度閾値Ｔｔｈ２、又は、検出温度Ｔ２＞第２温度閾値Ｔｔｈｂと判定された場合には（ＹＥＳの場合）、温度上昇率（ΔＴ／Δｔ）と第１設定温度上昇率（ΔＴ／Δｔ）ｓ１との大小関係、及び、温度上昇率（ΔＴ／Δｔ）と第１設定温度上昇率（ΔＴ／Δｔ）ｓ２との大小関係がそれぞれ判定される（ステップＳ２６ａ）。
【００９６】
一方、ステップＳ２５ａにおいて、検出温度Ｔ１＜第２温度閾値Ｔｔｈ２、且つ、検出温度Ｔ２＜第２温度閾値Ｔｔｈｂと判定された場合には（ＮＯの場合）、ステップＳ２１においてトリガレバー５ａの操作の有無が判断される。
【００９７】
そして、ステップＳ２６ａにおいて、温度上昇率（ΔＴ／Δｔ）＞第１設定温度上昇率（ΔＴ／Δｔ）ｓ１、又は、温度上昇率（ΔＴ／Δｔ）＞第１設定温度上昇率（ΔＴ／Δｔ）ｓ２と判定された場合には（ＹＥＳの場合）、ステップＳ２３に移行し、マイコン１１が「通常動作モード」から「制限動作モード」に設定変更され、前述と同様の動作が行われる（ステップＳ２３）。
【００９８】
一方、ステップＳ２６ａにおいて、温度上昇率（ΔＴ／Δｔ）＜第１設定温度上昇率（ΔＴ／Δｔ）ｓ１、且つ、温度上昇率（ΔＴ／Δｔ）＜第１設定温度上昇率（ΔＴ／Δｔ）ｓ２と判定された場合には（ＮＯの場合）、マイコン１１は「通常動作モード」を維持する（ステップＳ２７ａ）。
【００９９】
マイコン１１が「制限動作モード」に設定されている場合において、ユーザによってトリガレバー５ａが操作され、トリガスイッチ５が切り換えられる（ステップＳ２４）と、マイコン１１は、検出温度Ｔ１（deg）と第３温度閾値Ｔｔｈ３（deg）との大小関係、及び、検出温度Ｔ２（deg）と第３温度閾値Ｔｔｈｃ（deg）との大小関係をそれぞれ判定する（ステップＳ２５）。
【０１００】
そして、ステップＳ２５において、モータ４のコイルが放熱されており、検出温度Ｔ１＜第３温度閾値Ｔｔｈ３、且つ、検出温度Ｔ２＜第３温度閾値Ｔｔｈｃと判定された場合には（ＹＥＳの場合）、マイコン１１が「制限動作モード」から「通常動作モード」に設定変更（復帰）される。すると、ユーザにその旨を報知すべく、マイコン１１によってＬＥＤ表示部１５が消灯される（ステップＳ２７ａ）。
【０１０１】
一方、ステップＳ２５において、検出温度Ｔ１＜第３温度閾値Ｔｔｈ３、又は、検出温度Ｔ２＜第３温度閾値Ｔｔｈｃと判定された場合には（ＮＯの場合）、マイコン１１が「制限動作モード」を維持する（ステップＳ１３）。
【０１０２】
従って、マイコン１１がこのように「制限動作モード」に設定されている場合では、トリガスイッチ５が再度オンされても、該検出温度Ｔ１が第３温度閾値Ｔｔｈ３未満、且つ、検出温度Ｔ２が第３温度閾値Ｔｔｈｃ未満とならない限り、マイコン１１は「通常動作モード」に復帰することはない。
【０１０３】
尚、マイコン１１が「通常動作モード」に設定されている場合において、ユーザによってトリガレバー５ａが操作され、トリガスイッチ５が切り換えられる（ステップＳ２８ａ）と、前記したステップＳ２２の判定が行なわれる。
【０１０４】
本実施形態の充電式電動工具によれば、以下のような作用・効果を得ることができる。
（３）トリガスイッチ５の切換を契機として、検出温度Ｔ１＞第４温度閾値Ｔｔｈ４と判定された後、温度上昇率（ΔＴ／Δｔ）＞第２設定温度上昇率（ΔＴ／Δｔ）ｓ１１と判定された場合、又は、検出温度Ｔ２＞第４温度閾値Ｔｔｈｄと判定された後、温度上昇率（ΔＴ／Δｔ）＞第２設定温度上昇率（ΔＴ／Δｔ）ｓ１２と判定された場合に、マイコン１１が「制限動作モード」に設定される。このように、第２実施形態の構成に対して、検出温度Ｔ１＞第４温度閾値Ｔｔｈ４と判定された後の温度上昇率（ΔＴ／Δｔ）と第２設定温度上昇率（ΔＴ／Δｔ）ｓ１１との大小関係、及び、検出温度Ｔ２＞第４温度閾値Ｔｔｈｄと判定された後の温度上昇率（ΔＴ／Δｔ）と第２設定温度上昇率（ΔＴ／Δｔ）ｓ１２との大小関係がマイコン１１を「制限動作モード」に設定するための判定基準に加わる。このため、第２実施形態の構成と比較して、第２温度閾値Ｔｔｈ２，Ｔｔｈｂ以上第４温度閾値Ｔｔｈ４，Ｔｔｈｄ以下の温度領域で急激なコイル（モータ４）の温度上昇を捕捉した場合よりも、さらなる高温領域である第４温度閾値Ｔｔｈ４，Ｔｔｈｄ以上第１温度閾値Ｔｔｈ１，Ｔｔｈａ以下の温度領域において、急激なコイルの温度上昇を捕捉した場合には、より迅速に「制限動作モード」に設定されることから、モータ４が過負荷状態となることがさらに効果的に防止される。
【０１０５】
尚、上記実施形態は以下のように変形してもよい。
・上記第１〜第３実施形態では、マイコン１１が「通常動作モード」から「制限動作モード」に設定変更されると、ユーザにその旨を報知すべく、マイコン１１によってＬＥＤ表示部１５が点灯されるように構成した。しかしこれに限られず、音の吹鳴、具体的には、マイコン１１に接続されたブザー装置でユーザに報知するように構成することも可能である。
【０１０６】
さらに、前記した実施形態および変形例より把握できる技術的思想について以下に記載する。
○請求項２に記載の充電式電動工具において、前記第１温度検出手段は、前記接点部にねじ止めされているサーミスタである充電式電動工具。
【０１０７】
同構成によれば、サーミスタを接点部にねじ止めすることで容易に取り付けでき、しかも、取り付け後の固定が安定するので、小型化できる等のサーミスタの利点を活かしつつ、当該接点部の温度検出が良好に行なえるようにもなる。
【０１０８】
○請求項１〜請求項４のいずれか一項に記載の充電式電動工具において、前記モータ制御手段に接続され、当該モータ制御手段が制限動作モードに設定された場合にその旨を音の吹鳴又は光の出射で報知する報知手段をさらに備え、前記モータ制御手段は、前記制限動作モードに設定された時点からタイマ時間Δｔ０の経過後に、強制的に当該制限動作モードを解除する充電式電動工具。
【０１０９】
同構成によれば、モータ制御手段が制限動作モードに設定されている場合に、その旨が報知手段による音の吹鳴又は光の出射でユーザ（操作者）に報知されるので、同ユーザは、モータ制御手段（充電式電動工具）が制限動作モードに設定されている旨を確実に認識することができる。しかも、モータ制御手段が一旦制限動作モードに設定された時点からタイマ時間Δｔ０の経過後に、第１〜第３温度検出手段から出力される温度検出信号に基づいた検出温度と、温度閾値との大小関係に依存することなく、当該モータ制御手段が制限動作モードから通常動作モードに復帰される。このため、温度検出手段が何らかの原因で動作不能となった場合に、報知手段による音の吹鳴や光の出射が長期間続くことによる当該報知手段や同報知手段を制御するモータ制御手段の消費電力を節減することができる。
【図面の簡単な説明】
【０１１０】
【図１】（ａ）は、本発明の各実施形態に係る充電式電動工具の構造図、（ｂ）は、同充電式電動工具の第１サーミスタの取付部位（接点部）の詳細図、（ｃ）は、同充電式電動工具の電池パック（電池セル）の第３サーミスタの取付部位の詳細図。
【図２】本発明の各実施形態に係る充電式電動工具の電気的構成を示す機能ブロック図。
【図３】本発明の第１実施形態に係る経過時間と充電式電動工具の各部位の電流・温度の関係を示すグラフ図。
【図４】本発明の第１実施形態に係る充電式電動工具の制御系の動作を示すフローチャート図。
【図５】本発明の第２実施形態に係る経過時間と充電式電動工具の各部位の電流・温度の関係を示すグラフ図。
【図６】本発明の第２実施形態に係る充電式電動工具の制御系の動作を示すフローチャート図。
【図７】本発明の第３実施形態に係る経過時間と充電式電動工具の各部位の電流・温度の関係を示すグラフ図。
【図８】本発明の第３実施形態に係る充電式電動工具の制御系の動作を示すフローチャート図。
【符号の説明】
【０１１１】
１…回転出力部、２…電池パック、２ａ…電池セル、３…ギアボックス、４…モータ、４ａ…モータケース、５…トリガスイッチ、５ａ…トリガレバー、６…工具本体、６ａ…グリップ部、６ｂ…回路基板、６ｃ…電池パック装着部、７…リード線、７ａ…接点部、８…スイッチブロック、９…第１サーミスタ、９ａ…第２サーミスタ、９ｂ…第３サーミスタ、９ｃ，９ｄ…テープ、１０…ＦＥＴ、１１…マイコン（モータ制御手段）。
【図１】
2010110881.tif 000003
【図２】
2010110881.tif 000004
【図３】
2010110881.tif 000005
【図４】
2010110881.tif 000006
【図５】
2010110881.tif 000007
【図６】
2010110881.tif 000008
【図７】
2010110881.tif 000009
【図８】
2010110881.tif 000010